(57)【要約】【課題】断熱性能が高く、外表面に結露や着霜することがないナイトボードを提供すること。【解決手段】前面が開口したピッキング用冷凍冷蔵倉庫の前面開口を閉塞するナイトボードを、外部からの熱の浸入を遮断する断熱ボード８１と、断熱ボード８１の上縁部に取り付けられる上枠、下縁部に取り付けられる下枠、左側縁部に取り付けられる左枠８５、右側縁部に取り付けられる右枠８６によって囲繞された複数の断熱パネル８０で構成したので、断熱性能が高いナイトボードとなり、ナイトボードの外表面に結露や着霜することがない。【選択図】図３
2010210220.tif 000002
【特許請求の範囲】
【請求項１】
前面が開口した冷凍冷蔵機器の前面開口を閉塞するナイトボードであって、
外部からの熱の浸入を遮断する断熱ボードと、該断熱ボードの周りを囲繞する枠とを備えた複数の断熱パネルで構成したことを特徴とするナイトボード。
【請求項２】
前記枠は、断熱ボードの上縁部に取り付けられ、前記前面開口の上縁部に取り付けられたレールを受け容れる凹部が形成された上枠を有することを特徴とする請求項１に記載のナイトボード。
【請求項３】
前記枠は、断熱ボードの下縁部に取り付けられ、前記前面開口の下縁部に設けられたレールを受け容れる凹部が形成された下枠を有することを特徴とする請求項１または２に記載のナイトボード。
【請求項４】
前記枠は、断熱ボードの上縁部に取り付けられ、前記前面開口の上縁部に取り付けられたレールを受け容れる凹部が形成された上枠と、前記上枠と同一の断面形状であって、前記断熱ボードの下縁部に取り付けられた下枠とを有することを特徴とする請求項１に記載のナイトボード。
【請求項５】
下枠に形成された凹部に滑車を回転自在に取り付けたことを特徴とする請求項４に記載のナイトボード。
【請求項６】
前記枠は、断熱ボードの一方の側縁部に取り付けられ、上下方向に延在する凸条が形成された側枠を有することを特徴とする請求項１〜５のいずれか一つに記載のナイトボード。
【請求項７】
前記枠は、断熱ボードの他方の側縁部に取り付けられ、隣り合う断熱ボードの側枠に形成された凸条を受け容れる凹条が形成された側枠を有することを特徴とする請求項６に記載のナイトボード。
【請求項８】
断熱ボードの一の側縁部に取り付けられた一の側枠と、前記断熱ボードと隣り合う他の断熱ボードの前記一の側縁部と対向する側縁部に取り付けられる他の側枠および前記断熱ボードの他の側縁部に取り付けられる他の側枠が同一の断面形状を有し、前記一の側枠が上下方向に延在する凸条と、前記他の側枠の上下方向に延在する凸条を受け容れる凹条とを有することを特徴とする請求項１〜５のいずれか一つに記載のナイトボード。
【請求項９】
前記断熱パネルに紐状の取手を設けたことを特徴とする請求項１〜８のいずれか一つに記載のナイトボード。
【請求項１０】
前面が開口した冷凍冷蔵庫の前面開口を閉塞するナイトボードであって、
外部からの熱の浸入を遮断する断熱ボードが折り畳めるように屏風状に連結したことを特徴とするナイトボード。
【発明の詳細な説明】
【技術分野】
【０００１】
本発明は、前面が開口した冷凍冷蔵機器の前面開口を閉塞するナイトボードに関するものであって、たとえば、前面が開口したオープンショーケース、ピッキング用冷凍冷蔵倉庫等の前面開口を閉塞するナイトボードに関するものである。
【背景技術】
【０００２】
前面が開口したオープンショーケース、ピッキング用冷凍冷蔵倉庫等の冷凍冷蔵機器の前面開口を閉塞するナイトカバーが公知となっている。ナイトカバーは、冷凍冷蔵機器の前面開口を閉塞することにより、商品の取り出されることがない時間帯（たとえば、夜間）における外気の浸入や熱の浸入を防いでいる。
【０００３】
たとえば、オープンショーケースのキャビネットに対し、その上部の冷気エアカーテン吹出口のハニカム整流体と下部のリターングリルとの間にまたがって雨戸式にキャビネットの前面開放域を覆うように装着するナイトカバーが提案されている。このナイトカバーは、板厚５ｍｍ程度の剛性のあるプラスチック板を素材としており、キャビネットの前面開放域に嵌め込んで装着するようになっている（たとえば、特許文献１参照）。
【０００４】
また、オープンショーケースのキャビネットの上部前面に回転可能に設けられた巻取軸に一端が固定され、巻き取られた場合にオープンショーケースの前面開口が開放され、巻き出された場合にオープンショーケースの前面開放を閉塞するナイトカバーが提案されている（たとえば、特許文献２参照）。このナイトカバーは、可撓性があるシート状のポリエステルや布で構成されている。
【０００５】
また、オープンショーケースのキャビネットの左右いずれか一方の側端部にナイトカバーのフィルム状カバー本体が巻き込み収納される収納部を設ける一方、キャビネットの他方の側端部に収納部から開口部に沿って横方向に引き出されたカバー本体先端に設けられた係止金具を計脱可能に係止させるフックを設けたナイトカバーが提案されている（たとえば、特許文献３参照）。このナイトカバーは、可撓性があるシート状のポリエステルや布で構成されている。
【先行技術文献】
【特許文献】
【０００６】
【特許文献１】特開昭５６−８７７７３号公報
【特許文献２】特開平５−２６９０３３号公報
【特許文献３】特開平８−１１０１４９号公報
【発明の概要】
【発明が解決しようとする課題】
【０００７】
しかしながら、プラスチック板、シート状のポリエステルや布は、断熱性能が低く、ナイトカバーの外表面に結露や着霜することがあった。
【０００８】
本発明は、上記に鑑みてなされたものであって、断熱性能が高く、外表面に結露や着霜することがないナイトボードを提供することを目的とする。
【課題を解決するための手段】
【０００９】
上述した課題を解決し、目的を達成するために、本発明は、前面が開口した冷凍冷蔵機器の前面開口を閉塞するナイトボードであって、外部からの熱の浸入を遮断する断熱ボードと、該断熱ボードの周りを囲繞する枠とを備えた複数の断熱パネルで構成したことを特徴とする。
【００１０】
また、本発明は、上記ナイトボードにおいて、前記枠は、断熱ボードの上縁部に取り付けられ、前記前面開口の上縁部に取り付けられたレールを受け容れる凹部が形成された上枠を有することを特徴とする。
【００１１】
また、本発明は、上記ナイトボードにおいて、前記枠は、断熱ボードの下縁部に取り付けられ、前記前面開口の下縁部に設けられたレールを受け容れる凹部が形成された下枠を有することを特徴とする。
【００１２】
また、本発明は、上記ナイトボードにおいて、前記枠は、断熱ボードの上縁部に取り付けられ、前記前面開口の上縁部に取り付けられたレールを受け容れる凹部が形成された上枠と、前記上枠と同一の断面形状であって、前記断熱ボードの下縁部に取り付けられた下枠とを有することを特徴とする。
【００１３】
また、本発明は、上記ナイトボードにおいて、下枠に形成された凹部に滑車を回転自在に取り付けたことを特徴とする。
【００１４】
また、本発明は、上記ナイトボードにおいて、前記枠は、断熱ボードの一方の側縁部に取り付けられ、上下方向に延在する凸条が形成された側枠を有することを特徴とする。
【００１５】
また、本発明は、上記ナイトボードにおいて、前記枠は、断熱ボードの他方の側縁部に取り付けられ、隣り合う断熱ボードの側枠に形成された凸条を受け容れる凹条が形成された側枠を有することを特徴とする。
【００１６】
また、本発明は、上記ナイトボードにおいて、断熱ボードの一の側縁部に取り付けられた一の側枠と、前記断熱ボードと隣り合う他の断熱ボードの前記一の側縁部と対向する側縁部に取り付けられる他の側枠および前記断熱ボードの他の側縁部に取り付けられる他の側枠が同一の断面形状を有し、前記一の側枠が上下方向に延在する凸条と、前記他の側枠の上下方向に延在する凸条を受け容れる凹条とを有することを特徴とする。
【００１７】
また、本発明は、上記ナイトボードにおいて、前記断熱パネルに紐状の取手を設けたことを特徴とする。
【００１８】
また、本発明は、前面が開口した冷凍冷蔵庫の前面開口を閉塞するナイトボードであって、外部からの熱の浸入を遮断する断熱ボードが折り畳めるように屏風状に連結したことを特徴とする。
【発明の効果】
【００１９】
本発明にかかるナイトボードは、外部からの熱の浸入を遮断する断熱ボードと、断熱ボードの周りを囲繞する枠とを備えた複数の断熱パネルで構成したので、断熱性能が高いものとなり、ナイトボードの外表面に結露や着霜することがない。また、断熱性能が高いので、オープンショーケース、ピッキング用冷凍冷蔵倉庫等の冷凍冷蔵機器の省エネ効果も大きなものとなる。
【００２０】
断熱ボードの上縁部に取り付けられた上枠に形成された凹部が冷凍冷蔵機器の前面開口の上縁部に取り付けられたレールを受け容れるので、前面開口と上枠との間からの外気の浸入を抑制できる。
【００２１】
断熱ボードの下縁部に取り付けられた下枠に形成された凹部が冷凍冷蔵機器の前面開口の下縁部に設けられたレールを受け容れるので、前面開口の下縁部と下枠との間からの外気の浸入を抑制できる。
【００２２】
下枠が上枠と同一の断面形状を有するので、一つの押出型で上枠と下枠とを成型することができる。
【００２３】
下枠に形成された凹部に滑車を回転自在に取り付けたので、断熱パネルを左右方向に容易に移動させることができる。
【００２４】
断熱ボードの一方の側縁部に取り付けられた側枠に上下方向に延在する凸条が形成され、隣り合う断熱パネルの側枠に形成された凸条を受け容れる凹条が断熱ボードの他方の側縁部にとりつけられた側枠に形成されたので、隣り合う断熱パネルの間からの外気の浸入を抑制できる。
【００２５】
断熱ボードの一の側縁部に取り付けられた一の側枠と、断熱ボードと隣り合う他の断熱ボードの一の側縁部と対向する側縁部に取り付けられる他の側枠および断熱ボードの他の側縁部に取り付けられる他の側枠が同一の断面形状を有するので、一つの押出型で左側枠と右側枠とを押出成型することができる。また、一の側枠が上下方向に延在する凸条と、他の側枠の上下方向に延在する凸条を受け容れる凹条とを有するので、隣り合う断熱パネルの間からの外気の浸入を抑制できる。
【００２６】
断熱パネルに紐状の取手を設けたので、断熱パネルの運搬が容易になるとともに、断熱パネルを重ね合わせた場合に取手が邪魔になることもない。
【００２７】
外部からの熱の浸入を遮断する断熱ボードを折り畳めるように連結したので、使用しないときには、折り畳んで保管しておくことができる。
【図面の簡単な説明】
【００２８】
【図１】図１は、ピッキング用冷凍冷蔵倉庫を示す側断面図である。
【図２】図２は、本発明の実施の形態であるナイトボードが前面開口を塞いだピッキング用冷凍冷蔵倉庫を示す側断面図である。
【図３】図３は、実施の形態１であるナイトボードの平断面図である。
【図４】図４は、実施の形態１であるナイトボードの上部側断面図である。
【図５】図５は、実施の形態１であるナイトボードの下部側断面図である。
【図６】図６は、実施の形態２であるナイトボードの平断面図である。
【図７】図７は、実施の形態２であるナイトボードの上部側断面図である。
【図８】図８は、実施の形態２であるナイトボードの下部側断面図である。
【図９】図９は、実施の形態３あるナイトボードを示す概念図である。
【図１０】図１０は、実施の形態４であるナイトボードを適用したピッキング用冷凍冷蔵倉庫を示す模式図である。
【発明を実施するための形態】
【００２９】
以下に、本発明にかかるナイトボードの実施の形態を図面に基づいて詳細に説明する。なお、この実施の形態によりこの発明が限定されるものではない。
【００３０】
ここでは、ピッキング用冷凍冷蔵倉庫の前面開口を閉塞するナイトボードを説明するが、ピッキング用冷凍冷蔵倉庫の前面開口を閉塞するものに限定されるものではなく、オープンショーケース等の前面が開口した冷凍冷蔵機器の前面開口を閉塞するものにも適用可能である。
【００３１】
ピッキング用冷凍冷蔵倉庫２は、オペレータによって取り出される商品が陳列された状態で収納される倉庫であって、配送センタの建屋の内部に構築されている。ピッキング用冷凍冷蔵倉庫２は、プレハブ倉庫であって、プレハブ断熱材で構成されている。このピッキング用冷凍冷蔵倉庫２は、前方領域を収納陳列領域４とし、後方領域を収容搬送領域６としている。収納陳列領域（前方領域）４は、床から天井までの高さが２メートル５０センチメートル程度であり、前面が開口し、商品を陳列する陳列・ピッキング部（棚装置）４１の設置を可能にしている。収容搬送領域（後方領域）６は、大型の設備機械（たとえば、後述する商品投入搬送装置）の設置を可能にしている。
【００３２】
収納陳列領域４には、複数台の陳列・ピッキング部（棚装置）４１が横並びとなるように設置してある。陳列・ピッキング部４１は、商品を保管するピッキング用棚装置であって、前面及び後面が開口している。
【００３３】
陳列・ピッキング部４１には、上下方向に複数段（本実施の形態の陳列・ピッキング部４１は、四段）の傾斜流動棚４２が架設してある。傾斜流動棚４２は、後方から前方に向けて漸次低くなるように傾斜する態様で架設してあり、後方から投入された商品は、傾斜流動棚４２の上面を転動又は滑走することにより、前方に搬送され、前方から後方に向けて順次収納されるようになっている。
【００３４】
傾斜流動棚４２は、複数種類（本実施の形態の傾斜流動棚は６種類）の商品が保管可能であって、その前縁には、商品種類に対応するように、ＬＥＤ表示パネル４３が配設してある。
【００３５】
たとえば、本実施の形態の一の傾斜流動棚４２は、６種類の商品が保管可能であるから、一の傾斜流動棚４２を６等分し、それぞれの前縁にＬＥＤ表示パネル４３が配設してある。したがって、本実施の形態の陳列・ピッキング部４１は、２４個のＬＥＤ表示パネル４３が配設してある。
【００３６】
ＬＥＤ表示パネル４３は、後方から投入された商品を受け止め、商品を整列させるとともに、取り出す商品が保管されている保管位置を明示するものである。すなわち、ＬＥＤ表示パネル４３は、フェンスとして機能するとともに、ピッキング指示パネルとしても機能するようになっている。
【００３７】
また、最上段となる傾斜流動棚４２の上方となる収納陳列領域４の天井には、後方から前方に延在するダクト４５が配設してある。ダクト４５は、ピッキング用冷凍冷蔵倉庫２の前面開口に低温のエアカーテンを生成するためのものであり、後端が開口している。この後端開口には、送風ファン（送風装置）４６が取り付けられている。送風ファン４６は、陳列・ピッキング部４１の奥方、すなわち、ピッキング用冷凍冷蔵倉庫２の収容搬送領域６から空気を導入するものである。
【００３８】
ダクト４５の内部は、仕切板４５ａによって、上下に仕切られ、下側がインナーダクト４７を構成し、上側がミドルダクト４８を構成するようになっている。そして、ダクト４５に導入された空気は、インナーダクト４７とミドルダクト４８とに分配されるようになっている。
【００３９】
インナーダクト４７は、分配された空気を冷却し、ピッキング用冷凍冷蔵倉庫２の前面開口内側に低温（たとえば、摂氏−３０度）のエアカーテンを生成するためのもので、インナーダクト４７の内部には、蒸発器（エボパレータ）４７１が設置してあり、ダクト４５の後端開口から導入され、分配された空気は、蒸発器４７１の周囲を通過する際に摂氏−３０度程度まで冷却されるようになっている。
【００４０】
ミドルダクト４８は、分配された空気をピッキング用冷凍冷蔵倉庫２の前面開口内側であって、インナーダクト４７が生成するエアカーテンよりも外側に低温（たとえば、摂氏−２５度）のエアカーテンを生成するようになっている。
【００４１】
インナーダクト４７を画成するダクト４５の前端部下縁には、下方に延在するインナーノズル４７２が取り付けてあり、インナーダクト４７とミドルダクト４８を仕切る仕切板４５ａから下方に延びる仕切板４５ｂの下面には、下方に延在するミドルノズル４８１が取り付けてある。そして、インナーノズル４７２とミドルノズル４８１とは、ピッキング用冷凍冷蔵倉庫２の前面開口内側において、下方に向かって開口し、インナーダクト４７に連通するインナー吹出口を構成している。
【００４２】
インナーノズル４７２とミドルノズル４８１との間には、ハニカム（整流体）４７７が取り付けてある。そして、インナーダクト４７から供給され、ハニカム（整流体）４７７を通過した空気は整流され、下方に向かって流れるようになっている。
【００４３】
ミドルダクト４８を画成するピッキング用冷凍冷蔵倉庫２の前面開口下面から下方に向かって延びる壁体４５ｃの下面には、下方に延在するアウターノズル４９１が取り付けてある。そして、ミドルノズル４８１とアウターノズル４９１とは、ピッキング用冷凍冷蔵倉庫２の前面開口内側において、下方に向かって開口し、ミドルダクト４８に連通するミドルダクト吹出口を構成している。
【００４４】
ミドルノズル４８１とアウターノズル４９１との間には、ハニカム（整流体）４８９が取り付けてある。そして、ミドルダクト４８から供給され、ハニカム（整流体）４８９を通過した空気は整流され、下方に向かって流れるようになっている。
【００４５】
また、収納陳列領域４の天井前縁には、奥方から前方に延在した後に下方に延在するアウターダクト４９が配設してある。アウターダクト４９は、ピッキング用冷凍冷蔵倉庫２の前面開口外側に室温のエアカーテンを生成するものであり、奥方上面が開口している。この奥方上面開口には、アウターファン（送風装置）４９６が配設してある。このアウターファン４９６は、稼働させると配送センタの建屋（ピッキング用冷凍冷蔵倉庫の天井裏）から空気を導入するようになっている。
【００４６】
そして、アウターノズル４９１とアウターダクト４９とは、ピッキング用冷凍冷蔵倉庫２の前面開口外側において、下方に向かって開口し、アウター吹出口４９７を構成している。
【００４７】
そして、アウターノズル４９１とアウターダクト４９との間には、ハニカム（整流体）４９８が取り付けてある。そして、アウターダクト４９から供給され、ハニカム（整流対）４９８を通過した空気は、整流され、下方に向かって流れるようになっている。
【００４８】
最下段となる傾斜流動棚４２の前方にリターングリル（開口）５０が形成されるように、フロントパネル５１が床に立設してある。リターングリル５０は、インナーダクト４７の前端開口及びミドルダクト４８の前端開口と対向するように形成され、インナーダクト４７の前端開口及びミドルダクト４８の前端開口から供給され、ピッキング用冷凍冷蔵倉庫２の前面開口にエアカーテンを生成した空気を回収するようになっている。
【００４９】
また、最下段となる傾斜流動棚４２の下方には、吸気ファン５２が傾斜する態様で取り付けてあり、リターングリル５０から回収された空気を収納陳列領域４から収容搬送領域６に送出するようになっている。
【００５０】
収容搬送領域６の床には、前方から後方に延在するダクト（図示せず）が配設してある。ダクトは、リターングリル５０から回収された空気を収容搬送領域６に循環させるためのものであり、前端が最下段となる傾斜流動棚４２と収納陳列領域４の床との間に形成された開口に対向し、開口している。また、後端は、ピッキング用冷凍冷蔵倉庫の奥壁近傍まで延在し、開口している。また、ダクトの出口近傍となる内部には、循環ファンが配設してある。循環ファンは、最下段となる傾斜流動棚４２と収納陳列領域４との間から送出された空気を吸い込み、奥壁に沿って循環させるようになっている。
【００５１】
収容搬送領域６の天井には、複数台（本実施の形態では３台）のクーリングコイル（冷却装置）（図示せず）が据え付けてある。クーリングコイルは、供給された空気を冷却して、送出するものであり、上述した傾斜流動棚４２に均等に冷却した空気を送出するように、均等に配設してある。クーリングコイルは、空気が通過する際に摂氏−２５度程度まで冷却されるようになっている。また、クーリングコイルの空気送出能力は、ダクト４５に配設した送風ファン４６の数倍の能力を有している。
【００５２】
アウターダクト４９の下方端外側には、照明装置７２が配設してある。照明装置７２は、たとえば、蛍光灯であって、冷凍冷蔵ピッキングシステム稼働中は点灯し、稼働を停止した場合に消灯することができるようになっている。
【００５３】
照明装置７２は、傘体７３によって覆われている。傘体７３の前面には、照明装置７２を点灯あるいは消灯させるスイッチ（図示せず）が設けてある。このスイッチは、アウターファン４９６と連動しており、照明装置７２を点灯させた場合にアウターファン４９６が駆動され、照明装置７２を消灯させた場合にアウターファン４９６を停止させるようになっている。
【００５４】
また、このスイッチは、ピッキング用冷凍冷蔵倉庫２の内部温度を調節する温度調節装置に指示信号を与えるようになっている。たとえば、照明装置７２を点灯した場合に設定温度を摂氏−１８度にするように指示し、照明装置７２を消灯した場合に設定温度を摂氏−１５度にするように指示するようになっている。
【００５５】
ピッキング用冷凍冷蔵倉庫２において、冷凍機から蒸発器４７１に冷媒が供給されると、冷媒は、蒸発器４７１において蒸発し、蒸発器４７１の周囲の空気を冷却することになる。
【００５６】
また、クーリングコイル（冷却装置）、送風ファン（送風装置）４６、吸気ファン５２、循環ファン、アウターファン４９６を稼働すると、クーリングコイルの周囲を通過した空気は、摂氏−２５度程度まで冷却され、収納陳列領域（前方領域）４と収容搬送領域（後方領域）６との間に設けられた垂直な壁体（段差）に向けて送出される。送出された空気は、収納陳列領域（前方領域）４と収容搬送領域（後方領域）６との間に設けられた垂直な壁体（段差）に衝突することにより拡散され、クーリングコイルから送風ファン４６に直接空気を送出する場合よりも、空気の流速が遅くなり、送風ファン４６に空気が均等に供給される。
【００５７】
そして、送風ファン４６に供給された空気は、インナーダクト４７とミドルダクト４８とに分配される。インナーダクト４７に分配された空気は、蒸発器（エボパレータ）４７１の周囲を通過する際に摂氏−３０度程度まで冷却され、前端開口からリターングリルに向けて流れることにより、ピッキング用冷凍冷蔵倉庫２の前面開口内側に摂氏−３０度程度のエアカーテンを生成する。一方、ミドルダクト４８に分配された空気は、前端開口からリターングリル５０に向けて流れることにより、インナーダクト４７が生成するエアカーテンよりも外側に摂氏−２５度程度のエアカーテンを生成する。
【００５８】
一方、アウターファン４９６を稼働することにより、配送センタの建屋から導入された空気は、上述したエアカーテンに沿って流れ、エアカーテンを生成する空気の乱れを抑制する。
【００５９】
他方、リターングリル５０から回収された空気は、吸気ファン５２及び循環ファンによって、奥方に送出され、奥壁に沿って循環する。そして、奥壁に沿って循環した空気は、再び、クーリングコイルに供給される。
【００６０】
このように循環され、クーリングコイル、蒸発器（エボパレータ）４７１によって冷却された空気は、ピッキング用冷凍冷蔵倉庫２の内部を冷却する。
【００６１】
また、ピッキング用冷凍冷蔵倉庫２には、商品搬入コンベアによって、外部から商品が搬入される。ピッキング用冷凍冷蔵倉庫２に搬入された商品は、商品一時保管棚に一時保管され、あるいは、商品投入搬送装置によって、陳列・ピッキング部４１の傾斜流動棚４２に投入される。なお、商品一時保管棚に一時保管された商品も順番がきたら商品投入搬送装置によって、陳列・ピッキング部４１の傾斜流動棚４２に順次投入される。
【００６２】
また、ピッキング用冷凍冷蔵倉庫２は、管理装置によって制御され、取り出す商品が保管されている保管位置のＬＥＤ表示パネル４３が点灯される。すると、オペレータは、点灯したＬＥＤ表示パネル４３が示す保管位置が受け持つ棚であるか否かを識別し、自らが受け持つ棚であると識別した場合には、点灯したＬＥＤ表示パネル４３が示す保管位置から商品を取り出すことになる。
【００６３】
図２に示すように、本発明の実施の形態であるナイトボード８，９は、上述したピッキング用冷凍冷蔵倉庫２の前面開口を閉塞するものであって、任意（複数）の断熱パネル８０，９０で構成され、ピッキング用冷凍冷蔵倉庫２の開口幅（左右幅）に合わせて任意の枚数の断熱パネル８０，９０で閉塞されるようになっている。
【００６４】
（実施の形態１）
図３〜図５に示すように、実施の形態１であるナイトボード８は、外部からの熱の浸入を遮断する断熱ボード８１と、断熱ボード８１の周りを囲繞する枠とを備えている。枠は、断熱ボード８１の上縁部に取り付けられる上枠８３、下縁部に取り付けられる下枠８４、左側縁部に取り付けられる左枠（側枠）８５、右側縁部に取り付けられる右枠（側枠）８６を有している。
【００６５】
図４に示すように、上枠８３は、ピッキング用冷凍冷蔵倉庫２の前面開口の上縁部を構成するアウターノズル（ノズル）４９１の先端に取り付けられたプラスチック製のレール８７を受け容れ、レール８７に案内される凹部８３ａと、凹部８３ａに設けられ、レール８７との間を塞ぐフィン８３ｂとを有している。
【００６６】
図５に示すように、下枠８４は、ピッキング用冷凍冷蔵倉庫の前面開口の下縁部に設けられたレール８８を受け容れる凹部８４ａを有している。
【００６７】
図３に示すように、左枠（側枠）８５は、上下方向に延在する凸条８５ａと、凸条８５ａに設けられ、後述する凹条８６ａとの間を塞ぐフィン８５ｂとを有している。一方、右枠（側枠）８６は、隣り合う左の断熱パネル８０の左枠８５に形成された凸条８５ａを受け容れる凹条８６ａが形成されている。
【００６８】
また、断熱パネル８０には、左右一対となる紐状の取手８９が設けてある（図２参照）。取手８９は、オペレータの身長を考慮して配設され、取手８９の間隔はオペレータの肩幅とほぼ同一で、断熱パネル８０の高さ方向中央よりもやや上となる位置が好ましい。また、紐の輪の大きさは、オペレータの指が入る大きさが好ましく、大きすぎても小さすぎても好ましくない。
【００６９】
実施の形態１であるナイトボード８は、紐状の取手８９を用いることにより、アウターノズル４９１の先端に取り付けられたレール８７の延在方向と上枠８３に設けられた凹部８３ａの延在方向とを合わせて断熱パネル８０を持ち上げれば、凹部８３ａがレール８７を受け容れ、下枠８４に設けられた凹部８４ａが前面開口の下縁部に設けられたレール８８を受け容れる。このようにして断熱パネル８０を次々に取り付ければ、ピッキング用冷凍冷蔵倉庫２の前面開口をナイトボード８が閉塞することになる。つづいて、傘体７３の前面に設けてあるスイッチを操作して照明装置７２を消灯すれば、アウターファン４９６が停止するとともに、設定温度を摂氏−１５度にするように温度調節装置に指示を与える。
【００７０】
上述した実施の形態１であるナイトボードは、断熱パネル８０が外部からの熱の浸入を遮断するので、断熱性能が高いものとなり、ナイトボード８の外表面に結露や着霜することがない。
【００７１】
断熱ボード８１の上縁部に取り付けられた上枠８３に形成された凹部８３ａがピッキング用冷凍冷蔵倉庫２の前面開口の上縁部に取り付けられたレール８７を受け容れるので、前面開口と上枠８３との間からの外気の浸入を抑制できる。
【００７２】
断熱ボード８１の下縁部に取り付けられた下枠８４に形成された凹部８４ａがピッキング用冷凍冷蔵倉庫２の前面開口の下縁部に設けられたレール８８を受け容れるので、前面開口の下縁部と下枠８４との間からの外気の浸入を抑制できる。
【００７３】
断熱ボード８１の左側縁部に取り付けられた左枠８５に上下方向に延在する凸条８５ａが形成され、隣り合う右の断熱パネル８０の左枠８５に形成された凸条８５ａを受け容れる凹条８６ａが断熱ボード８１の右側縁部に取り付けられた右枠に形成されたので、隣り合う断熱パネル８０の間からの外気の浸入を抑制できる。
【００７４】
断熱パネル８０に紐状の取手８９を設けたので、断熱パネル８０の運搬が容易になるとともに、断熱パネル８０を重ね合わせた場合に取手８９が邪魔になることもない。
【００７５】
（実施の形態２）
図６〜図８に示すように、実施の形態２であるナイトボード９は、外部からの熱の浸入遮断する断熱ボード９１と、断熱ボード９１の周りを囲繞する枠とを備えている。枠は、断熱ボード９１の上縁部に取り付けられる上枠９３、下縁部に取り付けられる下枠９４、左側縁部に取り付けられる左枠（側枠）９５、右側縁部に取り付けられる右枠（側枠）９６を有している。
【００７６】
図７に示すように、上枠９３は、ピッキング用冷凍冷蔵倉庫２の前面開口の上縁部を構成するアウターノズル（ノズル）４９１の先端に取り付けられた板金製のレール９７を受け容れ、レール９７に案内される凹部９３ａと、凹部９３ａに設けられた、レール９７との間を塞ぐフィン９３ｂとを有している。
【００７７】
図８に示すように、下枠９４は、上枠９３と同一の断面形状を有している。また、下枠９４に形成された凹部９４ａには、滑車９４１が回転自在に取り付けてあり、ピッキング用冷凍冷蔵倉庫２の前面開口の下縁部に設けられたレール９８の上を滑車９４１が転がるようになっている。
【００７８】
図６に示すように、断熱ボード９１の左側縁部に取り付けられた左枠９５と、断熱ボードと隣り合う左の断熱ボード９１の右側縁部に取り付けられる右枠９６および断熱ボード９１の右側縁部に取り付けられる右枠９６が同一の断面形状を有している。また、一の側枠（左枠９５）は、上下方向に延在する凸条９５ａと、隣り合う他の側枠（右枠９６）の上下方向に延在する凸条９６ａを受け容れる凹条９５ｂとを有している。さらに、凸条９５ａは、凹条９６ｂとの間を塞ぐフィン９５ｃを有している。同様に、一の側枠（右枠９６）は、上下方向に延在する凸条９６ａと、隣り合う他の側枠（左枠９５）の上下方向に延在する凸条９５ａを受け容れる凹条９６ｂを有している。また、凸条９６ａは、凹条９５ｂとの間を塞ぐフィン９６ｃを有している。
【００７９】
また、断熱パネル９０には、左右一対となる紐状の取手９９が設けてある（図２参照）。取手９９は、オペレータの身長を考慮して配設され、取手９９の間隔はオペレータの肩幅とほぼ同一で、断熱パネル９０の高さ方向中央よりもやや上となる位置が好ましい。また、紐の輪の大きさは、オペレータの指が入る大きさが好ましく、大きすぎても小さすぎても好ましくない。
【００８０】
実施の形態２であるナイトボード９は、紐状の取手９９を用いることにより、アウターノズル４９１の先端に取り付けられたレール９７の延在方向と上枠９３に設けられた凹部９３ａの延在方向とを合わせて断熱パネル９０を持ち上げれば、凹部９３ａがレール９７を受け容れ、下枠９４に設けられた凹部９４ａが前面開口の下縁部に設けられたレール９８を受け容れる。このようにして断熱パネル９０を次々に取り付ければ、ピッキング用冷凍冷蔵倉庫２の前面開口をナイトボード９が閉塞することになる。つづいて、傘体７３の前面に設けてあるスイッチを操作して照明装置７２を消灯すれば、アウターファン４９６が停止するとともに、設定温度を摂氏−１５度にするように温度調節装置に指示を与える。
【００８１】
上述した実施の形態２であるナイトボード９は、断熱パネル９０が外部からの熱の浸入を遮断するので、断熱性能が高いものとなり、ナイトボード９の外表面に結露や着霜することがない。
【００８２】
断熱ボード９１の上縁部に取り付けられた上枠９３に形成された凹部９３ａがピッキング用冷凍冷蔵倉庫２の前面開口の上縁部に取り付けられたレール９７を受け容れるので、前面開口と上枠９３との間からの外気の浸入を抑制できる。
【００８３】
下枠９４が上枠９３と同一の断面形状を有するので、一つの押出型で上枠９３と下枠９４とを成型することができる。下枠９４に形成された凹部９４ａに滑車９４１を回転自在に取り付けたので、断熱パネル９０を左右方向に容易に移動させることができる。
【００８４】
断熱ボード９１の左側縁部に取り付けられた左枠９５と、断熱ボード９１と隣り合う左の断熱ボード９１の右側縁部に取り付けられる右枠９６および断熱ボード９１の右側縁部に取り付けられる右枠９６が同一の断面形状を有するので、一つの押出型で左枠９５と右枠９６とを押出成型することができる。また、一の側枠（左枠９５）が上下方向に延在する凸条９５ａと、他の側枠（右枠９６）の上下方向に延在する凸条９６ａを受け容れる凹条９５ｂとを有するので、隣り合う断熱パネル９０の間からの外気の浸入を抑制できる。
【００８５】
断熱パネル９０に紐状の取手９９を設けたので、断熱パネル９０の運搬が容易になるとともに、断熱パネル９０を重ね合わせた場合に取手９９が邪魔になることもない。
【００８６】
（実施の形態３）
実施の形態３であるナイトボード１０は、図９に示すように、外部からの熱の浸入を遮断する断熱ボード１１が折り畳めるように屏風状に連結したものであって、断熱ボード１１は、真空断熱材や発泡ウレタンボードにより作製される。
【００８７】
実施の形態３であるナイトボード１０は、ピッキング用冷凍冷蔵倉庫２の前面開口を塞ぐように、立てかけて用いられる。
【００８８】
実施の形態３であるナイトボード１０は、外部からの熱の浸入を遮断する断熱ボード１１を折り畳めるように連結したので、使用しないときには、折り畳んで保管しておくことができる。
【００８９】
（実施の形態４）
実施の形態４であるナイトボード１００は、図１０に示すように、断熱ボード１１０を自動で昇降するようにしたものであって、商品が取り出される時間帯（たとえば、就業時間中）は、前面開口を開放し、商品が取り出されることがない時間帯（たとえば、夜間）は、前面開口を断熱ボード１１０で閉塞するようになっている。
【符号の説明】
【００９０】
２    ピッキング用冷凍冷蔵倉庫
４５    ダクト
４５ａ    仕切板
４５ｂ    仕切板
４５ｃ    壁体
４６    送風ファン
４７    インナーダクト
４７１    蒸発器
４７２    インナーノズル
４７７    ハニカム
４８    ミドルダクト
４８１    ミドルノズル
４８９    ハニカム
４９    アウターダクト
４９１    アウターノズル
４９６    アウターファン
４９７    アウター吹出口
４９８    ハニカム
５０    リターングリル
５１    フロントパネル
５２    吸気ファン
８    ナイトボード
８０    断熱パネル
８１    断熱ボード
８３    上枠
８３ａ    凹部
８３ｂ    フィン
８４    下枠
８４ａ    凹部
８５ｂ    フィン
８５    左枠
８５ａ    凸条
８６    右枠
８６ａ    凹条
８７    レール
８８    レール
８９    取手
９    ナイトボード
９０    断熱パネル
９１    断熱ボード
９３    上枠
９３ａ    凹部
９３ｂ    フィン
９４    下枠
９４ａ    凹部
９４１    滑車
９５    左枠
９５ａ    凸条
９５ｂ    凹条
９５ｃ    フィン
９６    右枠
９６ａ    凸条
９６ｂ    凹条
９６ｃ    フィン
９７    レール
９８    レール
９９    取手
１０    ナイトボード
１１    断熱ボード
１００    ナイトボード
１１０    断熱ボード
【図１】
2010210220.tif 000003
【図２】
2010210220.tif 000004
【図３】
2010210220.tif 000005
【図４】
2010210220.tif 000006
【図５】
2010210220.tif 000007
【図６】
2010210220.tif 000008
【図７】
2010210220.tif 000009
【図８】
2010210220.tif 000010
【図９】
2010210220.tif 000011
【図１０】
2010210220.tif 000012